(57)【要約】【課題】盗難者による携帯機の追加に要する時間を延長し、周囲から盗難行為が被見されやすくする車両用盗難防止装置を提供する。【解決手段】車両用盗難防止装置には、車両に対する不正侵入を検知し、警報音を吹鳴する第１の防犯手段と、ユーザの所持する携帯機との認証状態が成立したときにのみ車載装置の作動を許可する第２の防犯手段とが設けられている。第２の防犯手段は、新たな携帯機を正規の携帯機として追加することを許可する許可手段と、許可手段による携帯機の追加を所定時間遅延させる遅延手段を有し、前記所定時間が経過するまで第１の防犯手段による警報音の吹鳴状態を維持させる。【選択図】図２
2014184762.tif 000002
【特許請求の範囲】
【請求項１】
車両に対する不正侵入を検知し、警報音を吹鳴する第１の防犯手段と、
ユーザの所持する携帯機と通信を行い、所定の認証状態が成立したときにのみ車載装置の作動を許可する第２の防犯手段とを有し、
前記第1の防犯手段は前記第２の防犯手段における所定の認証状態が成立後に前記吹鳴状態を停止するよう第１及び第２の防犯手段が関連している車両用盗難防止装置であって、
前記第２の防犯手段は、暗号化された所定の操作がされたときに上記所定の認証状態を成立させるための新たな携帯機を正規の携帯機として追加することを許可する許可手段と、前記暗号化された所定の操作が行われたとき前記許可手段による携帯機の追加を所定時間遅延させる遅延手段とを有し、前記所定時間が経過するまで第１の防犯手段による警報音の吹鳴状態を維持させることを特徴とする車両用盗難防止装置。
【請求項２】
請求項１の車両の盗難防止装置において、上記車載装置の作動がエンジンの作動を許可するものであり、上記第２の防犯手段が正規携帯機の認証によりエンジン始動を許可するスマートスタートシステムであることを特徴とする車両用盗難防止装置。
【請求項３】
請求項１又は２記載の車両の盗難防止装置において、上記第２の防犯手段における暗号化された所定の操作が所定コードの入力操作であり、前記遅延手段は、所定操作の入力完了を遅延させることを特徴とする車両用盗難防止装置。
【請求項４】
請求項１〜３いずれかに記載の車両の盗難防止装置において、上記第２の防犯手段はさらに、その所定の認証状態が成立後、認証状態成立を吹鳴報知する吹鳴機構を有していることを特徴とする車両用盗難防止装置。
【発明の詳細な説明】
【技術分野】
【０００１】
本発明は、車両用盗難防止装置に関し、とりわけ、盗難者によるエンジン始動用携帯機の追加およびイモビライザ関連部品の交換を簡単に行わせないための車両用盗難防止装置に関するものである。
【背景技術】
【０００２】
従来、車両の盗難防止装置としてバーグラシステム（不正侵入検出システム）と組み合わせてイモビライザシステムを用いることが知られている。  特許文献１には、上記不正侵入検出システムとして、ドアの不正開錠の検知に続いて、車内への不正侵入が検知された場合に、侵入者による車両の盗難行為を阻害する盗難防止装置が開示されている。  また、特許文献２には、上記イモビライザシステムとして、携帯機の追加登録やイモビライザ関連部品の交換に際して正規ユーザへの通知または確認を必要とすることで、盗難者によるエンジン始動用携帯機の追加およびイモビライザ関連部品の交換を防ぐ盗難防止装置が開示されている。
【先行技術文献】
【特許文献】
【０００３】
【特許文献１】特開２００６−３４７２０７号公報
【特許文献２】特開２００５−２８９１５７号公報
【発明の概要】
【発明が解決しようとする課題】
【０００４】
近年、不正な携帯機の登録が行われ、この携帯機を用いて車両が盗難されるケースが発生している。上記のようなバーグラシステムは、イモビライザシステムにより正規の携帯機によるエンジン始動が確認された場合、その警報状態が解除されるよう制御されることが通常である。そのため、盗難者による不正な携帯機の追加登録が迅速に行われ、その携帯機を用いてエンジンの始動が行われた場合、バーグラシステムによる盗難防止機能が作用したとしてもすぐに解除されてしまい、周囲が盗難行為に気付かない、という問題がある。  
【０００５】
すなわち、上記特許文献２に開示される盗難防止装置のようなユーザへの通知又は確認のみでは、周囲が盗難行為に気付かないまま、携帯機の登録等が行われる可能性が有り、この点でさらに改良することが要請される。  
【０００６】
本発明は、上記のような知見に基づき、盗難者による携帯機の登録等を簡単に行わせないために、上記作業に要する時間を強制的に延長することで、作業完了を遅延させると共に、合わせてバーグラシステムの盗難防止機能の作動時間を延長することで盗難者による盗難行為が周囲から被見しやすくすることで盗難行為自体を断念させ、盗難を未然に防ぐことができる車両用盗難防止装置を提供することを目的とする。
【課題を解決するための手段】
【０００７】
請求項第１項に係わる発明は、車両に対する不正侵入を検知し、警報音を吹鳴する第１の防犯手段と、ユーザの所持する携帯機と通信を行い、所定の認証状態が成立したときにのみ車載装置の作動を許可する第２の防犯手段とを有し、前記第1の防犯手段は前記第２の防犯手段における所定の認証状態が成立後に前記吹鳴状態を停止するよう第１及び第２の防犯手段が関連している車両用盗難防止装置であって、前記第２の防犯手段は、暗号化された所定の操作がされたときに上記所定の認証状態を成立させるための新たな携帯機を正規の携帯機として追加することを許可する許可手段と、前記暗号化された所定の操作が行われたとき前記許可手段による携帯機の追加を所定時間遅延させる遅延手段とを有し、前記所定時間が経過するまで第１の防犯手段による警報音の吹鳴状態を維持させることを特徴とするものである。
【０００８】
これによると、第２の防犯手段による新たな携帯機の追加を所定時間遅延させることで、新たな携帯機の追加およびこれを用いた認証成立を遅延させることができ、これに伴い不正侵入に起因する第１の防犯手段の吹鳴状態も延長することができる。このようにすることで、車載装置の作動に必要な認証成立を遅延させることができると共に第１の防犯手段による警報音の吹鳴状態を延長することができるため、盗難者による盗難行動が外部から被見される可能性が高くなり、盗難行為を断念させるという効果を有する。
【０００９】
さらに請求項第２項に係わる発明は、上記第１項に係わる発明において、上記車載装置の作動がエンジンの作動を許可するものであり、上記第２の防犯手段が正規携帯機の認証によりエンジン始動を許可するスマートスタートシステムであることを特徴とするものである。
【００１０】
これによると、新たな携帯機の追加に要する時間を所定時間遅延させることで、エンジン作動に必要な新たな携帯機を用いた認証状態の成立を遅らせることができる。合わせて、第１の防犯手段による吹鳴状態を所定時間継続することで、盗難者による盗難行動が外部から被見される可能性が高くなると共に盗難者によるエンジン作動および車両に搭乗しての逃走を断念させる効果を有する。
【００１１】
さらに請求項第３項に係わる発明は、上記第１項または第２項に係わる発明において、上記第２の防犯手段における暗号化された所定の操作が所定コードの入力操作であり、前記遅延手段は、所定操作の入力完了を遅延させることを特徴とするものである。
【００１２】
これによると、所定コードの入力完了を所定時間遅らせることで、所定コードが不正に入手された場合でも、新たな携帯機の追加登録およびその携帯機を用いた認証成立を遅らせることができる。その結果、第１の防犯手段による吹鳴状態を継続することができ、盗難者による盗難行動が外部から被見される可能性が高くなり、盗難行動を断念させる効果を有する。
【００１３】
さらに請求項第４項に係わる発明は、上記第１項〜第３項に係わる発明において、上記第２の防犯手段はさらに、その所定の認証状態が成立後、認証状態成立を吹鳴報知する吹鳴機構を有していることを特徴とするものである。
【００１４】
これによると、第２の防犯手段において所定操作がされた後、吹鳴報知をすることで、その所定操作が盗難者によるものであった場合にその盗難行為が所定操作完了後においても外部から被見しやすくなり、盗難防止効果がより高まる効果を有する。
【発明の効果】
【００１５】
本発明によると、第２の防犯手段での認証成立を遅延させることで、第１の防犯手段の吹鳴状態も延長することができ、吹鳴状態が所定時間継続するため盗難者による盗難行為が外部から被見される可能性が高くなり、盗難行為を断念させることができる。
【図面の簡単な説明】
【００１６】
【図１】本発明の構成を示すシステム図である。
【図２】本発明の盗難防止メカニズムを説明するフローチャートである。
【発明を実施するための最良の形態】
【００１７】
図１は、本発明の実施形態に係る車両の盗難防止装置を示し、この盗難防止装置は、不正侵入検出制御ユニット１０（第1の防犯手段）と、イモビライザ制御ユニット５（第２の防犯手段）とを含んでいる。
イモビライザ制御ユニット５は、イモビライザ・システムを制御するユニットであり、エンジン始動制御ユニット６とスマートキーレス制御ユニット７を有する。スマートキーレス制御ユニット７は、乗員の携帯する携帯機１と通信を行い、スマートキーレス制御ユニット７にて予め記憶しているＩＤコードと携帯機１のＩＤコードとの照合を行い、その結果をエンジン始動制御ユニット６に伝える。スマートキーレス制御ユニット７にて記憶しているIDコードと携帯機１のIDコードが一致すれば、エンジン始動制御ユニット６によりエンジン始動指令がエンジン始動装置１１へ出される。一方、両者のＩＤコードが一致しない場合は、エンジン始動装置１１に対するエンジン始動指令が出されることなく、エンジンの始動は行われない。
【００１８】
上記イモビライザ制御ユニット５における携帯機認証方法について詳述する。
スマートキーレス制御ユニット７が予め記憶している携帯機のIDコードは複数あり、例えば、正規の携帯機としてメイン携帯機Ｍとサブ携帯機Ｓとが最初に設定されており、メイン携帯機Ｍの識別コードを携帯機識別コードａとし、サブ携帯機Ｓの識別コードを携帯機識別コードｂとして、両携帯機識別コードａおよびｂがスマートキーレス制御ユニット７に登録されている。スマートキーレス制御ユニット７は、携帯機１から識別コードを受信したときには、携帯機識別コードに基づいて携帯機が正規のものであるか否かを判定するようになっている。即ち、受信した携帯機識別コードが車両に搭載されたスマートキーレス制御ユニット７に登録された携帯機識別コードａまたはｂのいずれか一つと一致するか否かにより、携帯機が正規のものであるか否かを判定するようになっている。
【００１９】
エンジン始動制御ユニット６は、スマートキーレス制御ユニット７において携帯機１の正規判定がされたときに、車両のエンジンを始動可能状態とし、乗員の所定操作によりエンジン始動装置１１に始動信号を送信するよう構成されている。
上記乗員の所定操作とは、携帯機を携帯している乗員がエンジン始動用ノブ（不図示）を回動することでスタータスイッチがオン状態とされることや、乗員によりプッシュスイッチ（不図示）である始動スイッチが押操作されることをいう。
エンジン始動制御ユニット６は、スマートキーレス制御ユニットからのエンジン始動指令信号を受けない限りエンジン始動を許可しないため、イモビライザ制御ユニット５による携帯機の認証システムには正規の携帯機を有するユーザ以外によるエンジン始動を抑制する効果がある。
【００２０】
ここで、携帯機１は、上記のメイン携帯機Ｍとサブ携帯機Ｓのように車両に対し複数用意されると共に新たに登録することが可能であり、また、スマートキーレス制御ユニット７やエンジン始動制御ユニット６に関連する部品の交換等が行われることが通常である。そのため、スマートキーレス制御ユニット７は、所定の条件が成立した場合、セキュリティ状態が解除され、新たな携帯機の追加およびイモビライザ関連部品の追加をすることができる許可手段１４を有している。セキュリティ状態の解除およびこれに伴う新たな携帯機の追加や関連部品の交換等についての詳細は後述する。
【００２１】
不正侵入検出制御ユニット１０は、車室内への不正な侵入を検出する不正侵入検出ユニット８と侵入検出ユニット８にて侵入が検出されたときに警報を吹鳴する警報装置９から構成されている。
侵入検出ユニット８は、車内あるいは車外へ設けられたカメラ２、車内に設けられた侵入センサ３、ドアの不正開錠を検出する不正開錠検出手段４と接続されている。
カメラ２は、車内あるいは車外へ設けられ、車両へ接近する人物や車両内へ侵入する人物を撮影し、撮影した情報を不正侵入検出ユニット８へ送る。
侵入センサ３は、車内への侵入者の不正侵入を検知する。具体的には、赤外線センサにより侵入者を検知するものや、荷重センサによりシートや床にかかる荷重の変化により侵入者を検知するものが相当する。
【００２２】
不正開錠検出手段４は、正規の携帯機１によらない、自動車のドアの不正開錠を検知するものである。例えば、車両のドアがオートロックにより施錠されると、正規の携帯機を用いた開錠以外の不正開錠を検知し、検知した情報を侵入検出ユニット８へ送る。この「不正開錠」の具体例としては、ドアや窓の破壊による開錠等を上げることができる。
【００２３】
不正侵入検出ユニット８は、上記カメラ２、侵入センサ３、不正開錠検出手段４からの情報を基に車内への侵入を検出した場合、警報装置９により警報音を発し、侵入者を威嚇すると共に、周囲へ車両への不正侵入が有ったことを報知する。
また、不正侵入検出ユニット８は、エンジン始動検出センサ１２によってエンジンが始動状態であることが検出されると、警報装置９による警報音の吹鳴を停止させる。
エンジン始動検出センサ１２は、エンジン始動装置１１からの信号を受けて、エンジンの始動開始状態を判断し、エンジン始動開始が判定されると、不正侵入検出ユニット８へ伝達する。
【００２４】
次に、当該車両に対し、新たな携帯機をスマートキーレス制御ユニット７に対して登録する方法について説明する。スマートキーレス制御ユニット７やエンジン始動制御ユニット６に関連する部品の交換等を可能場合も同様の手順で行うことができる。
スマートキーレス制御ユニット７のセキュリティ状態を解除して新たな携帯機の追加登録を可能とするものであり、セキュリティ状態の解除をするためには、スマートキーレス制御ユニット７内に記憶されている一方のパスワードＡを読み出し、このパスワードＡとペアになるパスワードＢを入力することが必要である。
【００２５】
まず、スマートキーレス制御ユニット７に対し、セキュリティ解除装置２０を接続し、スマートキーレス制御ユニット７内に記憶されている一方のパスワードＡを読み出す。その後セキュリティ解除装置２０を用いてサーバ３０と通信を行い、サーバ３０との通信を介してパスワードＡとペアになるパスワードＢを入手する。入手したパスワードＢをセキュリティ解除装置２０を介してスマートキーレス制御ユニット７へ入力し、スマートキーレス制御ユニット７にてパスワードＢの受付を完了すると、許可手段１４によりスマートキーレス制御ユニット７に対して、新たな携帯機の追加が許可される。
【００２６】
新たな携帯機をスマートキーレス制御ユニット７に対して登録する際、正規のユーザによる登録であれば問題ないが、新たな携帯機が盗難者によって登録された場合は、この新たな携帯機を用いて盗難者がエンジン始動をし、車両を持ち逃げすることができるため、盗難者による新たな携帯機の登録を防ぐ必要がある。
本発明では、上記一連の携帯機追加の方法のうち、スマートキーレス制御ユニット７におけるパスワードＢの受付完了を所定時間遅延させる遅延手段１５を設けることで盗難者による新たな携帯機の登録を防ぐことを特徴とするものである。
図２のフローチャートに基づいて詳細に説明する。
【００２７】
まず、イモビライザ制御ユニット５により、正規の携帯機によるドア開操作が行われたかどうかを検出する（ステップＳ１）。
Ｓ１でＹＥＳと判定された場合、スマートキーレス制御ユニット７にセキュリティ解除装置２０を接続し（ステップＳ２）、スマートキーレスユニット７からイモビライザ制御ユニット５のセキュリティ状態を解除するためのパスワードＡを読み出す（ステップＳ３）。その後、読み出したパスワードＡをサーバ３０へ入力し（ステップＳ４）、サーバ３０からパスワードＡのペアとなるパスワードＢを入手する（ステップＳ５）。サーバ３０には所定の規則に基づいてパスワードが登録されており、パスワードＡを入力すると所定の規則に基づいたパスワードＢを入手することができる。
【００２８】
セキュリティ解除装置２０を用いてスマートキーレス制御ユニット７へ入手したパスワードＢを入力し（ステップＳ６）、スマートキーレス制御ユニット７においてパスワードＢが認証されると、イモビライザ制御ユニット５においてセキュリティが解除され、許可手段１４により新たな携帯機の追加およびイモビライザ関連部品等の追加が可能となる。
【００２９】
スマートキーレス制御ユニット７は、遅延手段１５を有し、認証遅延部は上記パスワードＢの入力があった後、所定時間パスワードＢの受付完了を行わず（ステップＳ７）、所定時間受付完了を遅延させた後、パスワードＢの受付完了状態となる（ステップＳ８）。このような機能を有する遅延手段１５を有することで、新たな携帯機を登録可能となるタイミングを遅らせているものである。
【００３０】
次に、パスワードＢの受付が完了すると、スマートキーレス制御ユニット７のセキュリティが解除され（ステップＳ９）、セキュリティが解除されたことを外部へ吹鳴報知する（ステップＳ１０）。スマートキーレス制御ユニット７に対して新たな携帯機１の追加登録操作が可能となる（ステップＳ１１）。新たな携帯機１の追加登録操作が完了すると（ステップＳ１２）、当該新携帯機を用いてエンジンを始動することが可能となる（ステップＳ１３）。
【００３１】
一方、ステップ１でＮｏと判断された場合は、正規携帯機によらないドア開操作であるため、車両への不正な侵入が有ったとして、バーグラ制御ユニット１０の警報装置９の吹鳴を開始する。警報装置９の吹鳴状態は、正規に登録された携帯機１によりエンジン始動装置１１によりエンジンが始動されるまで継続し、車内外に不正侵入を報知するように構成されている。
【００３２】
上述のようにスマートキーレス制御ユニット７にて、パスワードＢの受付完了を所定時間遅延させることで、盗難者が何らかの手段でＳ２〜Ｓ６の操作を行い不正にパスワードＢを入手した場合でも、盗難にかかる時間を延長することができ、盗難者の盗難を防止する効果を有する。盗難者が不正侵入をしている場合は、上記所定時間だけ不正侵入検出制御ユニット１０における警報装置９の吹鳴状態が継続するため、盗難者による盗難行為が外部から被見される可能性が高くなり、盗難行為自体を断念させ、盗難を未然に防ぐことができる。
【００３３】
また、ステップＳ１０にてパスワードＢの受付が完了し、スマートキーレス制御ユニット７のセキュリティ状態が解除されたことを外部へ吹鳴報知することで、この段階においても外部から車両の状況が被見しやすくなり、盗難防止効果が向上するものである。
【００３４】
ここで、上記の本発明の携帯機の登録方法を正規ユーザ由来の携帯機を用いて行う場合にもパスワードの受付完了には遅延時間が発生してしまうが、上記遅延時間は一連の登録作業を阻害しない範囲内に設定することで煩わしさや不要な工数を削減することができ、好ましくは、５〜10分である。
【符号の説明】
【００３５】
１  携帯機
２  カメラ
３  侵入センサ
４  不正開錠検出手段
５  イモビライザ制御ユニット
６  エンジン始動制御ユニット
７  スマートキーレス制御ユニット
８  侵入検出ユニット
９  警報装置
１０  バーグラ制御ユニット
１１  エンジン始動装置
１２  エンジン始動検出センサ
１４  許可手段
１５  遅延手段
２０  セキュリティ解除装置
３０  サーバ
【図１】
2014184762.tif 000003
【図２】
2014184762.tif 000004